(57)【要約】スペーサー・プロフィール・フレームのパーツとしての使用のためのスペーサー・プロフィール（１）が開示され、それは、グレイジング板（５１、５２）間の介在スペース（５３）を形成して維持するために、断熱グレイジングユニット（５０）の端領域において、および／または端領域に沿って取り付けられるのに適していて、スペーサー・プロフィールは、長手方向（ｚ）に延び、長手方向（ｚ）に直角な断面（ｘ−ｙ）において、長手方向（ｘ）に直角である横方向（ｘ）の第１幅（ｂ１）を備え、長手方向（ｚ）と横方向（ｘ）とに直角である高さ方向（ｙ）の第１高さ（ｈ１）を備え、スペーサー・プロフィール・フレームの組立済み状態において介在スペース（５３）に向けて配置される高さ方向（ｙ）の内側（１３）と、内側（１３）からそれた方を向くように配置される外側（１４）とを備え、スペーサー・プロフィール（１）は、さらに、第１断熱材から形成されたプロフィール体（１０）であって、長手方向（ｚ）に直角の断面（ｘ−ｙ）においてみられたときに高さ方向において延びてかつ第１幅（ｂ１）よりも小さい横方向における距離（ｂ２）を有する外側壁（１１、１２）を有し、各側壁（１１、１２）は同じ第２高さ（ｈｐ）において反対側の側壁（１２、１１）に向けて突出する内側突出部（１６ａ、１６ｂ）を有する、プロフィール体（１０）と、プロフィール体（１０）としっかりと結合された拡散バリアフィルム（３０）であって、長手方向（ｚ）に直角の断面（ｘ−ｙ）においてみられたとき、スペーサー・プロフィールの外側で該プロフィール体（１０）に広がり、側壁の外側で高さ方向（ｙ）においてそれに連続し、および／または、その同じものにおいて第２高さ（ｈｐ）まで延び、突出部（１６ａ、１６ｂ）の中へ延びる、拡散バリアフィルム（３０）とを含む。
2015512844.tif 000002
【特許請求の範囲】
【請求項１】
スペーサー・プロフィール・フレームのパーツとしての使用のためのスペーサー・プロフィール（１）であって、グレイジング板（５１、５２）間に介在スペース（５３）を形成して維持するために、断熱グレイジングユニット（５０）の端領域において、および／または、該端領域に沿って取り付けられるのに適している、スペーサー・プロフィール（１）において、
該スペーサー・プロフィールは、長手方向（ｚ）に延び、該長手方向（ｚ）に直角な断面（ｘ−ｙ）において、該長手方向（ｚ）に直角である横方向（ｘ）の第１幅（ｂ１）を備え、該長手方向（ｚ）と該横方向（ｘ）とに直角である高さ方向（ｙ）の第１高さ（ｈ１）を備え、該スペーサー・プロフィール・フレームの組立済み状態において該介在スペース（５３）に向けて配置される該高さ方向（ｙ）の内側（１３）と、該内側（１３）からそれた方を向くように配置される外側（１４）とを備え、
該スペーサー・プロフィール（１）は、
第１断熱材から形成されたプロフィール体（１０）であって、該長手方向（ｚ）に直角の前記断面（ｘ−ｙ）においてみられたときに前記高さ方向において延びてかつ前記第１幅（ｂ１）よりも小さい前記横方向における距離（ｂ２）を有する外側壁（１１、１２）を有し、各側壁（１１、１２）は前記内側（１３）に開く凹部（４０）の中へ、向かい側の前記側壁（１２、１１）に向けて突出する内側突出部（１６ａ、１６ｂ）を有する、プロフィール体（１０）と、
第２材料から作られると共に前記プロフィール体（１０）としっかりと結合された拡散バリアフィルム（３０）であって、前記長手方向（ｚ）に直角の断面（ｘ−ｙ）においてみられたとき、前記スペーサー・プロフィールの前記外側で該プロフィール体（１０）に広がり、前記側壁の外側で前記高さ方向（ｙ）においてそれに連続し、および／または、その同じものにおいて第２高さ（ｈｐ）まで延び、前記突出部（１６ａ、１６ｂ）の中へ延びる、拡散バリアフィルム（３０）と
を含む、
スペーサー・プロフィール。
【請求項２】
前記高さ方向（ｙ）において、前記スペーサー・プロフィール（１）の前記内側（１３）と逆側に、前記突出部（１６ａ、１６ｂ）に隣り合って形成された保持凹部（１７ａ、１７ｂ）をさらに備える、請求項１に記載のスペーサー・プロフィール。
【請求項３】
前記プロフィール体（１０）は、吸湿性材料を収容するためのチャンバー（２０）をそこに定め、
該チャンバーは、
（ｉ）前記横方向（ｘ）において前記側壁（１１、１２）により横に定められ、
（ｉｉ）前記高さ方向（ｙ）において、前記スペーサー・プロフィール（１）の前記内側（１３）から、前記突出部（１６ａ、１６ｂ）よりもさらに離れて位置付けられ、
（ｉｉｉ）前記高さ方向（ｙ）において、前記スペーサー・プロフィール（１）の前記内側（１３）に向けて耐拡散でないように形成されている、
請求項１または２に記載のスペーサー・プロフィール。
【請求項４】
前記横方向（ｘ）において前記側壁（１１、１２）間に延びる内壁（２１）は、前記スペーサー・プロフィールの前記内側（１３）に対して前記チャンバー（２０）を区画形成する、および／または、前記スペーサー・プロフィール（１）の前記外側（１４）に対して保持凹部（１７ａ、１７ｂ）を区画形成する、請求項３に記載のスペーサー・プロフィール。
【請求項５】
スペーサー・プロフィール・フレームのパーツとしての使用のためのスペーサー・プロフィール（１）であって、グレイジング板（５１、５２）間に介在スペース（５３）を形成して維持するために、断熱グレイジングユニット（５０）の端領域において、および／または、該端領域に沿って取り付けられるのに適している、スペーサー・プロフィール（１）において、
該スペーサー・プロフィールは、長手方向（ｚ）に延び、該長手方向（ｚ）に直角な断面（ｘ−ｙ）において、該長手方向（ｚ）に直角である横方向（ｘ）の第１幅（ｂ１）を備え、該長手方向（ｚ）と該横方向（ｘ）とに直角である高さ方向（ｙ）の第１高さ（ｈ１）を備え、該スペーサー・プロフィール・フレームの組立済み状態において該介在スペース（５３）に向けて配置される該高さ方向（ｙ）の内側（１３）と、該内側（１３）からそれた方を向くように配置される外側（１４）とを備え、
該スペーサー・プロフィール（１）は、
第１断熱材から形成されたプロフィール体（１０）であって、該長手方向（ｚ）に直角の前記断面（ｘ−ｙ）においてみられたときに前記高さ方向において延びてかつ前記第１幅（ｂ１）よりも小さい前記横方向における距離（ｂ２）を有する外側壁（１１、１２）と、前記横方向（ｘ）において前記側壁（１１、１２）間に延びる内壁（２１）とを有し、各側壁（１１、１２）は、向かい側の前記側壁（１２、１１）に向けて突出する内側突出部（１６ａ、１６ｂ）を有する、プロフィール体（１０）と、
第２材料から作られると共に前記プロフィール体（１０）としっかりと結合された拡散バリアフィルム（３０）であって、前記長手方向（ｚ）に直角の断面（ｘ−ｙ）においてみられたとき、前記スペーサー・プロフィールの前記外側で該プロフィール体（１０）に広がり、前記側壁の外側で前記高さ方向（ｙ）においてそれに連続し、および／または、その同じものにおいて第２高さ（ｈｐ）まで延び、前記突出部（１６ａ、１６ｂ）の中へ延びる、拡散バリアフィルム（３０）と、
前記高さ方向（ｙ）において、前記スペーサー・プロフィール（１）の前記内側（１３）と逆側に、前記突出部（１６ａ、１６ｂ）に隣り合って形成された保持凹部（１７ａ、１７ｂ）であって、前記突出部（１６ａ、１６ｂ）と前記内壁（２１）とによって区画形成されている、保持凹部（１７ａ、１７ｂ）と
を含む、
スペーサー・プロフィール。
【請求項６】
前記プロフィール体（１０）は、吸湿性材料を収容するためのチャンバー（２０）をそこに定め、
該チャンバーは、
（ｉ）前記横方向（ｘ）において前記側壁（１１、１２）により横に定められ、
（ｉｉ）前記高さ方向（ｙ）において、前記スペーサー・プロフィール（１）の前記内側（１３）から、前記突出部（１６ａ、１６ｂ）よりもさらに離れて位置付けられ、
（ｉｉｉ）前記高さ方向（ｙ）において、前記スペーサー・プロフィール（１）の前記内側（１３）に向けて耐拡散でないように形成されていて、
（ｉｖ）前記内壁（２１）は前記スペーサー・プロフィールの前記内側（１３）に対して前記チャンバー（２０）を区画形成する、
請求項５に記載のスペーサー・プロフィール。
【請求項７】
前記拡散バリアフィルム（３０）は、前記長手方向（ｚ）に直角の前記断面（ｘ−ｙ）において、前記突出部（１６ａ、１６ｂ）に少なくとも部分的に位置付けられる輪郭延長部（３１ａ−ｄ）を備える、請求項１から６のいずれか一項に記載のスペーサー・プロフィール。
【請求項８】
前記側壁（１１、１２）は、前記断熱グレイジングユニット（５０）の前記グレイジング板（５１、５２）のための取付ベースとして形成されている、請求項１から７のいずれか一項に記載のスペーサー・プロフィール。
【請求項９】
前記拡散バリアフィルム（３０）は、前記横方向（ｘ）において、前記側壁（１１、１２）の外側から距離（ｂ７）まで、前記突出部（１６ａ、１６ｂ）の中に延びる、請求項１から８のいずれか一項に記載のスペーサー・プロフィール。
【請求項１０】
前記第１材料は、合成材料であり、より好ましくはポリオレフィンであり、さらにより好ましくはポリプロピレンであり、前記第２材料は金属、より好ましくはスズ（スズめっき）または亜鉛でできている防食を有するステンレス鋼または鉄鋼であり、および／または、
該第２材料は、好ましくは、１７０〜２４０Ｎ／ｍｍ２の範囲の、好ましくは約２１０Ｎ／ｍｍ２のＥ係数と、５０Ｗ／（ｍＫ）以下の、好ましくは２５Ｗ／（ｍＫ）以下の、なおさらに好ましくは１５Ｗ／（ｍＫ）以下の固有の熱伝導率λとを有し、および／または、
拡散バリアフィルム（３０）は、好ましくは、０．０３ｍｍ以上であり、かつ、０．３ｍｍ以下の厚さを有する、
請求項１から９のいずれか一項に記載のスペーサー・プロフィール。
【請求項１１】
少なくとも２つのグレイジング板（５１、５２）であって、該グレイジング板（５１、５２）間に介在スペース（５３）を形成するように、それらの間に分離距離を有して互いと対向して配置される、少なくとも２つのグレイジング板（５１、５２）と、
請求項１から１０のいずれか一項に記載のスペーサー・プロフィール（１）から形成されるスペーサー・プロフィール・フレームであって、前記グレイジング板（５１、５２）間に前記介在スペース（５３）を少なくとも部分的に定める、スペーサー・プロフィール（１）と
を備え、
該スペーサー・プロフィール（１）の前記側壁は、取付ベースとして、それらの全長に基本的に沿って、前記高さ方向において少なくとも部分的に、それらに面する前記グレイジング板（５１、５２）の前記内側と、耐拡散接着材（６１）でくっつけられ、
合間要素把持手段（７０）は、前記突出部（１６ａ、１６ｂ）によって保持され、
合間要素（８０）は、前記グレイジング板（５１、５２）間の前記介在スペースにおいて、該合間要素把持手段（７０）によって把持される、
断熱グレイジングユニット。
【請求項１２】
前記合間要素把持手段（７０）は、前記横方向（ｘ）における前記突出部（１６ａ、１６ｂ）の距離（ｂ３）よりも長い前記横方向（ｘ）における幅（ｂ８）を有する保持部分（７１）と、前記合間要素（８０）を把持するように適合された把持部分（７３）とを有する、請求項１１に記載の断熱グレイジングユニット。
【請求項１３】
前記合間要素把持手段（７０）は、金属クランプである、請求項１１または１２に記載の断熱グレイジングユニット。
【請求項１４】
前記合間要素把持手段（７０）および／または前記合間要素（８０）は、前記合間要素把持手段（７０）の反対側に、前記介在スペース（５３）から前記スペーサー・プロフィール（１）へのガス流れを可能にするための開口部を備える、請求項１１から１３のいずれか一項に記載の断熱グレイジングユニット。
【請求項１５】
前記スペーサー・プロフィール・フレームは、前記合間要素（８０）をガイドするように適合されている、請求項１１から１４のいずれか一項に記載の断熱グレイジングユニット。
【発明の詳細な説明】
【技術分野】
【０００１】
本発明は、スペーサー・プロフィールに関し、そして、スクリーン、ブラインドまたはスペーサー・プロフィールを組み込む類似した合間要素のようなガラス板（glass pane）間の空間に要素を有する断熱ガラスユニット（insulating glass unit）に関する。
【背景技術】
【０００２】
少なくとも２つのガラス板を有する断熱ガラスユニットは知られていて、ガラス板は断熱ガラスユニットにおいて互いから離れて把持される。断熱ガラスユニットは、通常、無機または有機ガラスから作られ、あるいは、プレキシガラスのような他の材料から作られる。したがって、窓ガラス（pane）も、グレイジング板（glazing pane）と呼ばれる。通常、グレイジング板の分離は、スペーサー・フレーム（図８における参照数字１をみよ）によって確保される。スペーサー・フレームは、コネクタを使っていくつかの部分から組み立てられるか、１つのものから曲げられ、そのため、スペーサー・フレームは１つの位置だけでコネクタにより閉じられる。
【０００３】
いろいろなデザインは、良い断熱を提供することを目的として断熱ガラスユニットのために利用されている。１つのデザインによると、窓ガラス間の介在スペースは、好ましくは、例えば、アルゴン、クリプトン、キセノン、その他のような、不活性ガス、断熱ガスで満たされる。当然に、充填ガスは、窓ガラス間の介在スペースから外へのリークが許されるべきではない。したがって、窓ガラス間の介在スペースは、それ相応に密閉されなければならない。さらに、外気に含まれる窒素、酸素、水などは、当然に、窓ガラス間の介在スペースに入ることが許容されるべきでない。したがって、スペーサー・プロフィールは、そのような拡散を防ぐように設計されなければならない。以下の説明では、用語「拡散不浸透性（diffusion impermeability）」がスペーサー・プロフィールおよび／またはスペーサー・プロフィールを形成する材料に関して利用されるとき、ここの関連するガスのための蒸気拡散不浸透性ならびにガス拡散不浸透性は、その意味の範囲内に含まれるはずである。
【０００４】
さらに、端接続、すなわち、断熱ガラスユニットの、グレイジング板の、および、スペーサー・フレームの接続部の伝熱は、特に、これらの断熱ガラスユニットの低熱伝導を成し遂げるために、非常に大きな役割を果たす。端接続に沿った高断熱を確保する断熱ガラスユニットは、「暖端（warm edge）」条件を満たし、この用語はその技術分野で利用される。
【０００５】
従来は、スペーサー・プロフィールは、金属から製造された。しかし、そのような金属スペーサー・プロフィールは、「暖端」条件を満たすことができない。したがって、そのような金属スペーサー・プロフィールの改善のための、金属スペーサー・プロフィール上における合成材料の供給は、例えば、特許文献１または特許文献２に開示されている。
【先行技術文献】
【特許文献】
【０００６】
【特許文献１】ＵＳ４，２２２，２１３
【特許文献２】ＤＥ１０２２６２６８Ａ１
【特許文献３】ＥＰ０９５３７１５Ａ２
【特許文献４】ＵＳ６，１９２，６５２
【特許文献５】ＥＰ１０１７９２３
【特許文献６】ＵＳ６，３３９，９０９
【特許文献７】ＤＥ１０２０１０００６１２７Ａ１
【特許文献８】ＵＳ２０１２／０２９７７０８Ａ１
【特許文献９】ＷＯ２００６／０００２１９Ａ１
【特許文献１０】ＵＳ２，９１５，７９３
【特許文献１１】ＥＰ０６８８９３４Ａ２
【特許文献１２】ＵＳ５，３１３，７６１
【特許文献１３】ＥＰ０２３０１６０Ａ１
【特許文献１４】ＵＳ４，６０４８４０
【特許文献１５】ＥＰ１１２９２７０Ｂ１
【特許文献１６】特開２０００−３１９０９１号公報
【特許文献１７】ＣＮ２３２９７４６Ｙ
【特許文献１８】ＷＯ０３／０８７５１９Ａ１
【特許文献１９】ＧＢ２４３２１７９Ａ
【特許文献２０】ＵＳ６，１０８，９９９
【特許文献２１】ＧＢ２４１１２０１Ａ
【特許文献２２】ＤＥ４２２６８８３Ａ１
【発明の概要】
【０００７】
固有の低熱伝導率を有する合成材料のみからなるスペーサーが「暖端」条件を成し遂げることが期待され得るが、拡散不浸透性および強さへの必要条件を満たすのは非常に難しい。
【０００８】
他の既知の解決は、拡散バリアと強化層としての金属フィルムを備える合成材料でできているスペーサー・プロフィールを含み、特許文献３（ファミリーメンバー特許文献４）または特許文献５（ファミリーメンバー特許文献６）または特許文献７（ファミリーメンバー特許文献８）に例えば示される。
【０００９】
そのような合成スペーサー・プロフィールは金属フィルムを有する合成材料でできているプロフィール体を使い、そして、それは「暖端」条件を満たすためにできるだけ薄くあるべきであるが、拡散不浸透性と強さを保証するために特定の最小厚さを有するべきである。そのような先行技術の「暖端」のスペーサー要素は、通常、単に二重グレイジングシステム（double glazing system）のような断熱ガラスユニット（insulating glass unit）で「暖端」条件を得る目的で設計されて、それゆえに、例えばそこに取り付けられるべきスクリーンまたはブラインドである合間要素のための支持体として作用することができない。換言すると、これらの「暖端」スペーサー要素は、押し出されたアルミニウム要素または曲げられた／折り曲げられた金属シートで典型的に得られることができる物性を有さず、それゆえに、二重グレイジングシステムのような断熱ガラスユニットで、取り付けられるべきスクリーンまたはブラインドのような合間要素（interspace element）のための支持体として作用することができない。
【００１０】
介在ブラインド用のガイド要素としての、折り曲げられた金属シートまたは押し出された金属プロフィールでできているスペーサー要素を用いる合間要素としてのブラインド付きの二重の窓ガラスアセンブリは、特許文献９および特許文献１０から知られている。特許文献１１（ファミリーメンバー特許文献１２）は、スペーサー・フレームを形成するための断熱ガラスユニット用のスペーサー・アセンブリを開示し、それに取付バー・アセンブリはクリップ手段を用いて固定され、スペーサー・フレームでフランジにつながれるラッチを介してそれはスペーサー・フレームに固定される。
【００１１】
特許文献１３、特許文献１４、特許文献１５、特許文献１６、特許文献１７、特許文献１８および特許文献１９は、また、合間ブラインド要素配置を開示する。特許文献２０、特許文献２１および特許文献２２は、特定の種類の外側ガラス板を有する二重ガラスユニットおよび、耐衝撃性、耐火性、または付加的な断熱を提供するための空間に配置される異なる種類の窓ガラスを開示する。
【００１２】
「暖端」条件を成し遂げて、かつ、断熱グレイジングユニットの空間にブラインドのような合間要素を取り付けることを可能にする、改善されたスペーサー・プロフィールを提供することが本発明の目的である。
【００１３】
その目的は、請求項１または５に係るスペーサー・プロフィール（spacer profile）あるいは請求項１１に係る断熱グレイジングユニット（insulating glazing unit）によって成し遂げられる。
【００１４】
本発明の更なる発展は、従属請求項において提供される。
【００１５】
付加的な特徴と目的は、図を考慮して、例示的な実施形態の説明から明らかであるであろう。
【図面の簡単な説明】
【００１６】
【図１ａ】本発明の一実施形態のスペーサー・プロフィールの断面図を示す。
【図１ｂ】合間要素把持手段の一実施形態の断面図を示す。
【図１ｃ】スペーサー・プロフィールの突出部によって保持された合間要素把持手段の一実施形態の断面図を示す。
【図１ｄ】スペーサー・プロフィールの保持凹部の中に合間要素把持手段がある実施形態の挿入を示す。
【図２】スペーサー・フレームを形成するためのスペーサー・プロフィールのコーナー接続を示す。
【図３ａ】本発明の一実施形態のスペーサー・フレームを有する二重グレイジングシステムの斜視図であり、係合していないが、ガラス板の一方が取り外され、スクリーンまたはブラインドが中央に挿入されている、斜視図を示す。
【図３ｂ】図３ａの二重グレイジングシステムの断面図であって、ガラス板の一方が取り除かれ、スクリーンまたはブラインドが係合する、断面図を示す。
【図４ａ】図３の二重ガラス板システムの部分的な拡大斜視図であり、両方のガラス板を有し、スクリーンまたはブラインドが係合する、斜視図を示す。
【図４ｂ】図４ａの二重グレイジングシステムの断面図を示す。
【図５】本発明の別の実施形態に係る二重グレイジングシステムの断面図を示す。
【図６】本発明の別の実施形態に係る二重グレイジングシステムの断面詳細図を示す。
【図７】本発明の別の実施形態に係るスペーサー・プロフィールの断面図を示す。
【図８ａ】従来の断熱グレイジングユニットにおけるグレイジング板およびスペーサー・プロフィールの構成の断面斜視図を示す。
【図８ｂ】従来の断熱グレイジングユニットにおけるグレイジング板およびスペーサー・プロフィールの構成の断面斜視図を示す。
【発明を実施するための形態】
【００１７】
本教示の実施形態は、図を参照して以下でより詳細に説明されるであろう。同じ特徴／要素は、すべての図において同じ番号で特徴付けられる。明瞭さのために、すべての番号が、すべての図に付け加えられたわけではない。図１および８に示される三次元（ｘ、ｙ、ｚ）参照システムは、図１から８に示されるプロフィール、それらの横断面および長手方向にあてはまる。長手方向は方向ｚに対応し、横方向は方向ｘに対応し、そして、高さ方向はプロフィールに関して方向ｙに対応する。
【００１８】
さて、第１実施形態に係るスペーサー・プロフィール１と合間要素としてのブラインドで同じものを用いる断熱グレイジングユニット５０は、図１〜６を参照して説明される。
【００１９】
図１ａ）およびｃ）、３ｂ）、４ｂ）、５および６において、スペーサー・プロフィール１は、長手方向ｚに直角な横断面において、すなわちｘ−ｙ面におけるスライスに沿って示され、そして、長手方向ｚにおいてこの一定断面を有して延びる。スペーサー・プロフィール１は、高さ方向ｙにおいて高さｈ１を有し、プロフィール体１０を備え、それは第１材料から形作られている。第１材料は、好ましくは弾塑性変形可能な、低熱伝導（断熱）材料である。
【００２０】
ここで、用語「弾塑性変形可能」は、好ましくは、弾性復元力が曲げプロセス後にアクティブであることを意味し、曲げの少なくとも一部が不可逆の変形を有して生じる合成材料の場合に典型的である。さらに、用語「低熱伝導」は、好ましくは、固有の熱伝導率λが約０．３Ｗ／（ｍＫ）以下であることを意味する。
【００２１】
第１材料は、好ましくは、合成材料であり、より好ましくはポリオレフィンであり、さらにより好ましくはポリプロピレン、ポリエチレン・テレフタル酸塩、ポリアミドまたはポリカーボネートである。そのようなポリプロピレンの一つの例は、Ｎｏｖｏｌｅｎ（登録商標）１０４０Ｋである。第１材料は、好ましくは、約２２００Ｎ／ｍｍ２以下のＥ係数（Ｅ−ｍｏｄｕｌｕｓ）、および、約０．３Ｗ／（ｍＫ）以下の固有の熱伝導率λ、好ましくは約０．２Ｗ／（ｍＫ）以下の固有の熱伝導率λを有する。
【００２２】
プロフィール体１０は、ワンピースの拡散バリアフィルム３０と、（例えば、溶着および／または接着ボンドで）しっかりと結合される。拡散バリアフィルム３０は、第２材料から作られる。第２材料は、好ましくは、塑性変形可能な材料である。ここで、用語「塑性変形可能」は、実際的には、弾性復元力が曲げ後にアクティブでないことを、好ましくは意味する。これは、例えば金属がそれらの弾性限界（明らかな降伏限界）を越えて曲げられるとき、典型的である。好ましくは、第２材料は、金属、より好ましくはスズ（例えばスズめっき）または亜鉛の防食があるステンレス鋼または鉄鋼である。必要であるか、要求されるならば、クロムコーティングまたはクロメートコーティングがそれに適用されてもよい。
【００２３】
ここで、用語「しっかりと結合」は、好ましくは、プロフィール体１０と拡散バリアフィルム３０とが、例えば、プロフィール体の拡散バリアフィルムとの共押し出し、および／または、必要に応じて接着材の使用によって、永続的に互いと結合されることを意味する。好ましくは、結合の密着は、材料がＤＩＮ５３２８２にしたがう剥離試験で分離可能でない十分な大きさである。
【００２４】
さらに、拡散バリアフィルムは、付加的に、また好ましくは強化要素として働く。その厚さ（材料の厚さ）ｄ１は好ましくは約０．３０ｍｍ以下、より好ましくは０・２０ｍｍ以下、なおさらに好ましくは０．１５ｍｍ以下、なおさらに好ましくは０．１２ｍｍ以下、なおさらに好ましくは０．１０ｍｍ以下である。さらに、厚さｄ１は、好ましくは約０．１０ｍｍ以上、好ましくは０．０８ｍｍ以上、さらに好ましくは０．０５ｍｍ以上、さらに好ましくは０．０３ｍｍ以上である。最大厚さは、所望の固有の熱伝導率と安定性とに相当するように選ばれる。そのフィルムがより薄く作られるとき、「ウォーム・エッジ」条件はますます満たされるであろう。好ましくは、図に示される実施形態の各々は、０．０５ｍｍ〜０．１３ｍｍの範囲の厚さを有する。
【００２５】
拡散バリアフィルム用の好ましい材料は、約５０Ｗ／（ｍＫ）以下の、より好ましくは約２５Ｗ／（ｍＫ）以下の、なおさらに好ましくは１５Ｗ／（ｍＫ）以下の固有の熱伝導率λを有する鉄鋼および／またはステンレス鋼である。第２材料のＥ係数は、好ましくは、約１７０〜２４０ｋＮ／ｍｍ２の範囲にあり、好ましくは約２１０ｋＮ／ｍｍ２である。第２材料の破断伸びは、好ましくは約１５％以上であり、より好ましくは約２０％以上である。ステンレス鋼フィルムの一例は０．０５ｍｍの厚さを有するＤＩＮＥＮ１００８８１２にしたがうスチールフィルム１．４３０１または１．４０１６であり、スズのプレートフィルムの一例は０．１２５ｍｍの厚さを有するＡｎｔｒａｌｙｔ  Ｅ２、８／２、８Ｔ５７で作られたフィルムである。
【００２６】
プロフィール体１０は高さ方向ｙにおいて距離ｈ４離れている内壁２１および外壁２２と、横方向ｘにおいて距離ｂ２離れてかつ高さ方向ｙにおいて本質的に延在する２つの側壁１１、１２とを備える。側壁１１、１２は、チャンバー２０が吸湿性材料を収容するために形成されるように、内壁２１および外壁２２を介して接続されている。チャンバー２０は、プロフィール体１０のうちの壁１１、１２、２１、２２によって横断面のそのそれぞれの側で定められる。チャンバー２０は、高さ方向ｙにおいて高さｈ４を有する。側壁１１、１２はグレイジング板（glazing pane）の内側への取り付けのための取付ベースとして形成される。換言すると、スペーサー・プロフィールは、好ましくは、これらの取付ベースを介してグレイジング板のそれぞれの内側にくっつけられる（図３、４、５を見よ）。
【００２７】
内壁２１は、断熱グレイジングユニットの組立済み状態で、それがグレイジング板間の介在スペース５３で内側に向くので、「内」壁と定められる。グレイジング（例えば窓）板間の介在スペースに向く、スペーサー・プロフィールの側部は、スペーサー・プロフィール１の高さ方向ｙにおける内側１３として、以下の説明で示される。外壁２２は、高さ方向ｙにおいてチャンバー２０の反対側に配置され、組立済み状態においてグレイジング板間で介在スペース５３からそれた方を向き、よってここで「外」壁として定められる。スペーサー・プロフィールのこの側は、グレイジング（例えば窓）板間で介在スペースからそれた方を向き、スペーサー・プロフィール１の高さ方向ｙにおいて外側１４として、以下の説明で示される。
【００２８】
図１ａ）に示される波状構成によると、外側１４から観察されるとき、側壁１１、１２と外壁２２との間の接続を形成する部分はそれぞれ、凹部分２２ａ、２２ｂを備える。当然のことながら、側壁１１、１２と外壁２２との間の接続を形成する部分の他の構成は可能であり、まっすぐな傾斜部のような、例えば４５°の傾斜角、９０°コーナー部などを有することが可能である。外壁２２は、側壁への接続部分を除いて、（図１ａに示されるように）好ましくは平面である。
【００２９】
側壁１１、１２は、内壁２１を超えて高さ方向ｙにおいて、示された実施形態では高さｈ３にわたって、延在する。側壁１１、１２のこれらの部分は、内壁２１の向こうに延び、以下では側壁脚１１ｂ、１２ｂと呼ばれる。チャンバー２０を定める側壁１１、１２の部分は、すなわち脚１１ｂ、１２ｂに隣り合うそれら部分は、以下では、上側壁部１１ａ、１２ａとして示される。図１ａ）、１ｃ）で見られ得るように、プロフィール１は、脚１１ｂ、１２ｂが配置される下部において最大幅ｂ１を有する。上側壁部１１ａ、１２ａの領域において、プロフィール１は、高さまたは幅ｄ３を有する段状移行部が作り出されるように、わずかにより小さい幅ｂ４を有する。スペーサー・プロフィール１がグレイジング板５１、５２の間に位置付けられたとき、この小さい段によって作り出される空間が、後述される（図３〜５を見よ）上側壁部１１ａ、１２ａの領域において接着材（主要シーリング化合物）６１の存在を可能にする一方、脚１１ｂ、１２ｂは介在接着材なしにグレイジング板５１、５２に接触することができる。
【００３０】
脚１１ｂ、１２ｂは横方向ｘにおいて厚さｄ１を有し、上側壁部１１ａ、１１ｂは横方向ｘにおいて厚さｄ２を有する。内壁２１は、高さ方向ｙにおいて厚さｄ４を有し、外壁２２は高さ方向ｙにおいて厚さｄ５を有する。厚さｄ１およびｄ２は、安定性基準に基づいて基本的に選択され、厚さｄ４およびｄ５は安定性基準にしたがって選択されるが断熱特徴基準を考慮して選択される。厚さｄ４およびｄ５は同一であるように選ばれることができるが、好ましくは、バリア層３０が外壁２２の安定性に貢献する場合、厚さｄ５は厚さｄ４よりも小さい。
【００３１】
側壁１１、１２と外壁２２との間の接続／移行を示す凹部分２２ａ、２２ｂは、横方向ｘにおいて、上側壁部１１ａ、１２ａの外側から外壁２２に中への直接的な移行を形成する最終直立部までの幅ｂ５を有する。幅ｂ５は、できるだけ小さいように選ばれるが、上側壁部１１ａ、１２ａの先端よりも内側１３に近い底を有する凹部分を可能にする。幅ｂ５は、好ましくは、幅ｂ４、すなわち、上側壁部１１ａ、１２ａの外側間の距離ｂ４の５〜１５％の範囲にある。
【００３２】
脚１１ｂ、１２ｂは横方向ｘにおいて距離ｂ２を有する。脚と内壁２１とは、内側１３に開く凹部４０を定める。脚１１ｂ、１２ｂの側で、横方向ｘにおいて向き合い、突出部１６ａ、１６ｂは高さｈ２＝ｈｐにおいて提供される。突出部は、開いた凹部４０の幅ｂ２よりも小さな横方向ｘの距離ｂ３を有する。突出部１６ａ、１６ｂは、ｘ−ｙ平面においてみられるように、ほぼ長方形形状を有し、図１ｄ）および図２においてみられ得るように長手方向ｚに沿って延びる。したがって、保持凹部１７ａ、１７ｂは、突出部１６ａ、１６ｂ、対応する側壁１１、１２、および内壁２１、特に突出部１６ａ、１６ｂと側壁１１、１２に隣り合う内壁２１の部分によって区画形成される。保持凹部１７ａ、１７ｂは、凹部４０に開く。それらは、高さ方向ｙにおいて高さｈｒを、そして横方向ｘにおいて深さｄ７を有する（ｄ７＝１／２（ｂ２−ｂ３））。代替的に、凹部の異なる深さｄ７´、ｄ７´´は、２つの横側に提供されることができ、例えば異なる突出部１６ａ、ｂによってあるいは異なる凹部によって提供され得る。明らかに、突出部１６ａ、１６ｂが介在スペース５３に向かって高さ方向Ｙにおいて凹部１７ａ、１７ｂを定めるとき、保持凹部１７ａ、１７ｂは、側壁１１、１２と突出部１６ａ、１６ｂとによって内壁２１を用いないで区画形成され得る。当然のことながら、凹部を定めるために、側壁１１、１２の各々における突出部の対を用いることも可能である。いずれの場合も、凹部を定めることができる。しかし、チャンバーと凹部とを定めるための内壁２１の２重の使用が好まれる。
【００３３】
突出部１６ａ、１６ｂは、高さ方向ｙにおいて高さまたは厚さｄ６を有する。
【００３４】
図１ａ）、１ｃ）に示される実施形態において、脚は、突出部１６ａ、１６ｂから高さ方向において、外側１４から離れるように、高さｈ６にわたって延びる。スペーサー・プロフィール１の適用に応じて、脚１１ｂ、１２ｂのこれらの部分は図１ａ）、１ｃ）に示されるよりもかなり短くあるいは長くてもよく、除かれることも可能である。
【００３５】
開口部１５（図８にのみ示されるが他の図に示されない）は、耐拡散（diffusion-proof）であるように形成されないように、内壁２１に形成される。付加的にまたは代替的に、非耐拡散デザインを達成するために、材料がそのような開口部１５の形成なしに同等の拡散を可能にするように、全てのプロフィール体および／または内壁のための材料を選ぶこともできる。しかし、開口部１５の形成は、好ましい。いずれにしても、グレイジング板間の介在スペース５３とチャンバー２０の吸湿性材料との間での湿気交換は、好ましくは確保される。
【００３６】
拡散バリアフィルム３０は、外壁２２の外側と側壁１１、１２の外側に形成され、それはチャンバー２０から離れて向く。フィルム３０は、高さ方向ｙにおいて側壁１１、１２に沿って（外側１４から見て）チャンバー２０の高さｈ４に対して延び、そして、突出部１６ａ、１６ｂの（同じ）高さｈ２＝ｈｐまで側壁１１、１２の内側へ延び、深さｂ６まで同じところで平行に延びる。代替的に、突出部１６ａ、１６ｂは、異なる高さで提供されてもよい。拡散バリアフィルム３０のＬ字状のまたはフランジ形状の部分３１ａ、３１ｂは、輪郭部分（profiled portion）であり、各々プロフィール３１ａ、３１ｂを有する。ここで、用語「プロフィール」は、延長部が拡散バリアフィルム３０の直線的な延長部だけではなく、２次元プロフィールがｘ−ｙ平面における断面の２次元的な見方において形成されることを意味し、例えば延長部３１ａ、３１ｂまたは３１ｃ、３１ｄにおける１つ以上の曲がり部および／または角度によってそのプロフィールは形成される。
【００３７】
図１ａ）に示される実施形態によると、プロフィール３１ａ、３１ｂは、曲がり部（９０°）およびそれに直接隣接する部分（フランジ）を備え、その部分（フランジ）は、横方向ｘにおいて、対応する側壁１１、１２の外側から内側に向けて長さｂ７延びる。
【００３８】
図３〜５に示されるように、取付ベースとして形成された側壁１１、１２は、接着材（主要シーリング化合物）６１、例えばポリイソブチレンに基づくブチル・シーリング合成物を用いてグレイジング５１、５２の内側とくっつけられる。グレイジング板間の介在スペース５３は、したがって、２つのグレイジング（例えば窓またはドア）板５１、５２とスペーサー・プロフィール１によって定められる。スペーサー・プロフィール１の内側１３は、窓枠５１、５２間の介在スペース５３を向く。高さ方向ｙにおいてグレイジング板間の介在スペース５３から離れて向く外側１４において、例えば多硫化物、ポリウレタンまたはシリコンに基づく機械的安定シーリング材料（副シーリング化合物）６２は、空きスペースを満たすために、窓枠の内側間の残りの空きスペースに導かれる。このシーリング化合物は、また、機械的または他の腐食性／品質低下作用から拡散バリア層を保護する。
【００３９】
突出部１６ａ、１６ｂおよび凹部１７ａ、１７ｂは、合間要素把持手段７０を保持することができるように形成されている。合間把持要素７０の実施形態は、長手方向ｚに直交する断面ｘ−ｙでの図１ｂ）で、突出部１６ａ、１６ｂと保持凹部１７ａ、１７ｂによって保持されるように挿入されている状態で、示されている。
【００４０】
図１ｂ）に示される合間要素把持手段７０は、金属シートから形成された金属クランプであり、図１ｂ）に示される断面形状に曲げられる。長手方向ｚにおける合間要素把持手段７０の長さは、必ずしも、スペーサー・プロフィールのそれと同じ長さであるというわけではない。使用と保持されるべき合間要素に応じて、複数の合間要素把持手段７０は、開いた凹部４０に挿入されて把持されることができる。クランプの厚さは、把持されるべき合間要素に適切な把持力を与えるように選択される。把持されるべきそのような合間要素８０は、ソーラーパネルなどのようなブラインドまたはスクリーンまたは他の合間要素である場合がある。
【００４１】
図１ｂ）に示される金属クランプの形の合間把持手段７０は、中間部分７５によって接続される保持部分７１（図１ｂの上部）と把持部分７３（図１ｂの下部）とを備える。保持部分７１は、横縁部７２ａ、７２ｂを備え、横縁部７２ａ、７２ｂは合間要素把持手段７０の横方向ｘにおいて幅ｂ８を定める。合間要素把持手段７０は、高さ方向ｙにおいて高さｈ７を有する。保持部分７１は、高さ方向ｙにおいて高さｈ８を有し、それは保持凹部１７ａ、１７ｂの高さｈｒよりも小さい。中間部分７５は、断面ｘ−ｙで見られるとき、突出部１６ａ、１６ｂの突出量よりも大きな深さを有すると共に突出部１６ａ、１６ｂの厚さｄ６よりも大きい高さｈ９を有する凹部７６ａ、７６ｂを形成する。把持部分７３の外側は、脚１１ｂ、１２ｂ間の距離ｂ２よりも小さい距離ｂ１１離される。把持部分７３は、フック状部分７４ａ、７４ｂを備え、そこにおいて、フックの先端は距離ｂ１１よりも小さい距離ｂ１０を有する。合間要素把持手段７０の高さｈ７は、好ましくは、開いた凹部４０の高さｈ３よりも小さい。
【００４２】
図１ｄ）から見られるとき、対応するスペース・プロフィール１の長さよりも十分に小さい長手方向ｚにおける長さを有する合間要素把持手段７０は、長手方向ｚにおいて同じのを挿入することにより保持凹部１７ａ、１７ｂに把持されるべく挿入され得る。
【００４３】
図１に示されるスペーサー・プロフィール１は、スペーサー・プロフィール・フレーム１００の一部として使われるように設計されている。そのようなスペーサー・プロフィール・フレームは、スペーサー・プロフィール１を曲げて、コネクタ、好ましくは直線的なコネクタによってスペーサー・プロフィール１の開いた端をつなぐことによって作られることができる。曲がる場合には、脚１１ｂ、１２ｂは曲がり部の適切な位置で、例えばＶカットの形に、切り取られ得る。スペーサー・プロフィール・フレームを作るこの方法は、図面に示されない。あるいは、スペーサー・プロフィール１の直線的部分は、コーナーコネクタ１０１を用いてスペーサー・プロフィール・フレームに接続されることができる。スペーサー・プロフィール部分１ａ、１ｂの開いた端をコーナーコネクタ１０１でつなぐ方法は、図２に示される。この場合、スペーサー・プロフィール部分１ａ、１ｂの一端の脚１１ｂ、１２ｂは適切に切り取られている。コーナーコネクタ１０１のコネクタ部分は、スペーサー・プロフィール１のスペース２０に挿入される。スペーサー・プロフィール・フレームを作るこれらの方法は、周知の技術で、ここでさらに説明されない。断熱ガラスユニット（insulating glass unit）のような断熱グレイジングユニット（insulating glazing unit）を組み立てるとき、スペーサー・プロフィール・フレーム１００はスペーサー・プロフィール１の形をし、図３ａ）に示されるように１つのグレイジング板５２に取り付けられる。すでに上で説明されたように、取付は接着材６１を用いて実行される。
【００４４】
図３ａ）において非常によく見られ得るように、断熱ガラスユニットのグレイジング板間の介在スペース５３内への供給のための合間要素８０は、そのスペースに配置されることができる。そのような合間要素８０は示され、図３ａ）において代表的な合間要素としてのブラインドである。ブラインドは図３ａ）に示されるように複数の合間要素把持手段７０により取り付けられ把持され得、それは前に説明されると共に図３ｂ）に示されるようにスペーサー・プロフィールによって保持されるべく挿入されている。図３ａ）にまた示されているように、合間要素把持手段は、介在スペース５３の同じ側でスペーサー・プロフィールと同じ長さを有さない。したがって、図３ａ）に示される場合には、介在スペース５３とのチャンバー２０の連通用の穴１５は、スペーサー・プロフィール１のほぼ全長にわたり、合間要素把持手段７０によってカバーされない。あるいは、単一の合間要素把持手段７０が使われることができる。
【００４５】
図３ｂ）において、合間要素８０は、合間要素把持手段７０のフック状部分７４ａ、７４ｂに相補的に形成されたフック状部分８２ａ、８２ｂの使用により合間要素把持手段７０と係合する。当然のことながら、合間要素８０を合間要素把持手段７０と係合させるための係合手段の他の形状は容易に考えられる。代替的な例は図５および６に示され、フック７４ａ、ｂ、８２ａ、ｂの方向は逆である。
【００４６】
合間要素８０を取り付けて、それを合間要素把持手段７０に接続した後、第２グレイジング板５１は、接着材６１を用いてスペーサー・プロフィール・フレーム１００に取り付けられ、シーリング６２はすでに説明した方法で取り付けられる。対応するアセンブリは、図４ａ）およびｂ）に示される。図３、４においてブラインドであるように例示された合間要素８０は、グレイジングユニットにおいてブラインド要素を上下に動かす操作手段８３を備える。例において、操作ユニット８３は、介在スペース５３への別々の直結が必要でないように、コンタクトレスの方法で駆動されることができる。当然のことながら、直結を必要とする機械式ドライブが必要であるならば、操作ユニット８３をシールするための特定の処置が必要である。かなりの程度まで、内壁２１を通してのガスまたは蒸気の拡散が妨げられるように、合間要素把持手段７０および／または合間要素８０がスペース・プロフィール１の内側１３をカバーするならば、合間要素把持手段および／または合間要素は介在スペース５３からチャンバー２０へのガス流れを可能にするように開口部／通路を備える。
【００４７】
違いがはっきりと気付かれるか、図に示されるとき以外は、第１実施形態に関するすべての詳細も、すべての他の説明される実施形態にあてはまる。
【００４８】
スペーサー・プロフィール１の第２実施形態は、図７に示される。その実施形態は、突出部１６ａ、１６ｂおよび脚１１ｂ、１２ｂ内の拡散バリアフィルムの形によって、基本的に第１実施形態と異なる。側壁１１、１２内に延びるバリアフィルム３０の部分は、３１ｘ、３１ｙであるように示され、それらは突出部１６ａ、１６ｂの中へ延びる１８０°曲がり部を有する輪郭部分３１ｃ、３１ｄを備える。さらに、また、部分３１ｘ、３１ｙは、内側１３で脚１１ｂ、１２ｂの末端にほぼ至るまで脚１１ｂ、１２ｂの中へ延びる。部分３１ｘ、３１ｙの形状は、脚１１ｂ、１２ｂにおよび突出部１６ａ、１６ｂにより大きな安定性を提供するように、選ばれる。特に、プロフィール部分３１ｃ、３１ｄは、突出部１６ａ、１６ｂにより大きな安定性を与え、保持凹部１７ａ、１７ｂにおいて要素を把持するためにより大きな保持力を与えることを可能にするであろう。
【００４９】
実施形態のさらにありうる修正は、以下に説明される。明らかに、合間要素８０が保持されるべく適応されるならば、合間要素８０は中間合間要素把持手段７０を用いずに、保持手段１７ａ、１７ｂによってまた直接的に把持され得る。しかし、より良い断熱特徴を確実にするべく、合間要素把持手段７０を用いることが好ましい。特に、合間要素８０の直接的な把持への比較において、合間把持要素保持手段は、できるだけ小さな熱伝導横断面を提供するように形成されることができた。「暖端」特徴を維持するために、これは非常に重要である場合がある。脚１１ｂ、１２ｂは、介在スペース５３において動く要素がブラインドのように使われるならば、特に役に立つ。
【００５０】
また、合間要素把持手段７０は、例えば金属クランプの形で合間把持手段７０と一緒にスペーサー・プロフィールを共押し出しすることによって、スペーサー・プロフィール１に一体化されることができる。スペーサー・プロフィール１の脚１１ｂ、１２ｂは、合間要素８０の可動部分をガイドするのに適している場合がある。例えば、脚１１ｂ、１２ｂはブラインドの薄板をガイドするのに適している場合がある。ガラス板の内側に低放射率コーティングを有する断熱ガラスユニットの場合、脚１１ｂ、１２ｂは、合間要素により、特にガラス板および／または合間要素の熱膨張または他の変形の場合でさえそのような接触を防ぐ脚の形状および／または厚さを提供することによって、同じものの接触／損傷を防ぐように適している場合がある。スペーサー・プロフィール１の脚１１ｂ、１２ｂは、合間要素８０とスペーサー・プロフィール１間の横のギャップをカバーするのに適している場合がある。例えば、脚１１ｂ、１２ｂは、断熱ガラスユニットの頂部で、または、同じものの底端で、ブラインドの１箱間の横のギャップをカバーするのに適している場合があり、および／または、それらはブラインドの薄板の横の端部をカバーするのに適している場合がある。例えば、脚は、ブラインドや他の合間要素８０の外側部分を完全に囲み、如何なる端の不完全さなどをも隠すことができる場合がある。スペーサー・プロフィールは、異なる色で製造されてもよい。適当な材料、特にＰＰを使う場合には、着色材料はＰＰ「の中に」提供されてよく、そして、フィルムまたは被覆表面は必要でなく、それは可視のかき傷の影響を受ける場合がある。屋内側および屋外側間での違いのような異なる部分の異なる色は、可能である。拡散バリアフィルム３０がスペーサー・プロフィール１のそれらの部分でスペーサー・プロフィール１の表面を形成するように、拡散バリアフィルム３０は形成され、スペーサー・プロフィール１に置かれることができ、そして、それは保持された合間要素把持手段７０または保持された合間要素８０と接触状態にある。例えば、そのような接触部は、荷重を受けて、横の端７２ａ、７２ｂで保持部分７１に接触する突出部１６ａ、１６ｂのそれらの部分である。拡散バリアフィルム３０がスペーサー・プロフィール１のそれらの部分でスペーサー・プロフィール１の表面を形成するとき、ＰＰのような弾塑性変形可能な材料の流れが接触部で働く負荷下で起こらないであろう。第２実施形態において、脚１１ｂ、１２ｂに延びるバリアフィルム部分３１ｘ、３１ｙは、例えば突出部での１８０°曲がり部で分けられた２つのパーツで作られてもよい。このような場合には、下側パーツは、基本的に、加えられるＬ形状パーツであるが、図１のバリアフィルムから切り離される。
【００５１】
断熱ガラスユニット（insulating glass unit）は、ドア、窓、正面要素、屋内の仕切り壁、屋根などのために使われることができる。グレイジング板（glazing pane）の材料は、ガラス（glass）に限られず、プレキシガラス（Plexiglas）または他のものような他の透明であるか半透明のグレイジング材料（transparent or semi-transparent glazing material）であり得る。
【００５２】
説明および／または特許請求の範囲において開示されるすべての特徴が、実施形態および／または特許請求の範囲における特徴の構成から独立している要求された発明を制限する目的のためだけでなくオリジナルの開示の目的のために互いから分離して、そして、独立して開示されることを意図することが明示的に述べられる。すべての価値範囲または実体のグループの示唆が、特に価値範囲の限定として、要求された発明を制限する目的でだけでなくオリジナルの開示の目的であらゆる可能性がある中間の価値または中間の実体を明らかにすることが明示的に述べられる。
【図１ａ】
2015512844.tif 000003
【図１ｂ】
2015512844.tif 000004
【図１ｃ】
2015512844.tif 000005
【図１ｄ】
2015512844.tif 000006
【図２】
2015512844.tif 000007
【図３ａ】
2015512844.tif 000008
【図３ｂ】
2015512844.tif 000009
【図４ａ】
2015512844.tif 000010
【図４ｂ】
2015512844.tif 000011
【図５】
2015512844.tif 000012
【図６】
2015512844.tif 000013
【図７】
2015512844.tif 000014
【図８ａ】
2015512844.tif 000015
【図８ｂ】
2015512844.tif 000016
【国際調査報告】
2015512844.tif 000017
2015512844.tif 000018
2015512844.tif 000019